(57)【要約】【課題】  農作業などの邪魔にならない構成の薬剤放散装置を提案すること。【解決手段】  薬剤放散装置１０は、地面に設置された装置筐体１２と、この中に収納した薬剤タンク１３、伸縮式の薬剤放散部１１および薬剤供給部１４とを有している。薬剤放散時には、伸縮式の薬剤放散部１１が装置筐体１２の開口部１６から上方に伸長する。薬剤放散部１１には薬剤供給部１４から昆虫性フェロモンが供給されているので、上方に延びた薬剤放散部１１から大気中に昆虫性フェロモンが蒸発あるいは放散する。放散終了後は薬剤放散部１１が縮み装置筐体１２に収納され、開口部１６開閉蓋１７で封鎖される。よって、薬剤放散装置１０が農作業などの邪魔になることがない。【選択図】  図２
2005151947.tif 000002
【特許請求の範囲】
【請求項１】
昆虫性フェロモンなどの薬剤を貯留した薬剤貯留部と、
前記薬剤を外部に放散させるための薬剤放散部と、
前記薬剤貯留部の前記薬剤を前記薬剤放散部に供給する伸縮式の薬剤供給部とを有している薬剤放散装置。
【請求項２】
請求項１において、
前記薬剤放散部は、伸縮式の支柱と、この支柱に取り付けた長尺状の可撓性部材とを備えており、
前記薬剤供給部は、前記可撓性部材に前記薬剤を供給するようになっている薬剤放散装置。
【請求項３】
請求項２において、
前記伸縮式の支柱は、支柱軸線方向にスライド可能に連結された少なくとも第１および第２支柱要素と、これら第１および第２支柱要素を支柱軸線方向に伸縮させるためのプーリ・ベルト式の伸縮機構とを備えており、
前記伸縮機構のベルトが前記可撓性部材である薬剤放散装置。
【請求項４】
請求項２または３において、
前記薬剤供給部は、前記可撓性部材の表面に供給された前記薬剤を前記可撓性部材の表面に沿って当該可撓性部材の移動方向に拡展させる拡展部材を備えている薬剤放散装置。
【請求項５】
請求項４において、
前記拡展部材は、
前記可撓性部材の表面に対して所定の間隔で先端が対峙しているブレード、外周面が前記可撓性部材に接しているローラ、および、表面が前記可撓性部材に接している薬剤含浸部材のうちのいずれか一つであり、
前記可撓性部材の移動経路上における定まった位置に配置されている薬剤放散装置。
【請求項６】
請求項１ないし５のうちのいずれかの項において、
前記薬剤貯留部、前記薬剤供給部および前記薬剤放散部が収納された装置筐体と、
前記薬剤放散部を前記装置筐体内から外部に伸長させるために、当該装置筐体に形成した開口部と、
前記開口部を開閉可能な状態で封鎖している開閉蓋とを有している薬剤放散装置。
【請求項７】
請求項５において、前記ブレードまたは前記ローラには薬剤塗布膜厚分の段差を設けた薬剤放散装置。
【請求項８】
請求項４において、前記可撓性部材表面には薬剤塗布膜厚分の段差またはシボを設けた薬剤放散装置。
【請求項９】
請求項２ないし８のうちいずれかの項において、薬剤の散布量が前記可撓性部材と前記薬剤供給部の相対位置の移動量に伴って変化する塗布量により調整可能な薬剤放散装置。
【発明の詳細な説明】
【技術分野】
【０００１】
本発明は、昆虫性フェロモンからなる害虫の交信かく乱剤や誘引剤などの薬剤を放散するための薬剤放散装置に関し、特に、農作業などの邪魔にならないように設置可能な薬剤放散装置に関するものである。
【背景技術】
【０００２】
農場などにおいては、殺虫剤を用いる代わりに、昆虫性フェロモンなどの誘引剤を空気中に放散して、害虫に交信かく乱を引き起こして産卵数を減少させることにより害虫の発生を減少させる害虫駆除方法が知られている。例えば、圃場施設に所定間隔で多数の昆虫性フェロモンディスペンサを設置して、昆虫性フェロモンを自然放散させるものが知られている。昆虫性フェロモンディスペンサとしては、プラスチック製のチューブに性フェロモンを封入したものが知られており、これを育成植物の枝やビニールハウスの骨組に掛けて、性フェロモンをチューブを介して空気中に自然放散させるようにしている（特許文献１）。しかし、このディスペンサでは、昆虫が交尾をしない日中も昆虫性フェロモンが継続放散され、気温の高い日中の方が放散量も多いので、薬剤の無駄な放散が多い。また、性フェロモンのうち二重結合をもつものは紫外線劣化や酸化を起こしやすいので、安定剤を混合する必要があり、その分コスト高になっている。さらには、近隣の果樹園などの影響で想定しなかった害虫が存在する場合に、そのような想定外の害虫に即応できない。
【０００３】
そこで、ヒータやファンなどによって揮発性の薬剤を強制的に放散させる薬剤放散装置を利用すること（特許文献２、３、４）、遠隔制御によるスプレー式の薬剤放散装置を利用すること（特許文献５）、あるいは、インクジェットプリンタに用いられるインクジェッドヘッドと同様な液滴吐出ヘッドを用いて薬剤を放散すること（特許文献６）等が提案されている。
【特許文献１】特開平８−３２２４４７号公報
【特許文献２】実開昭５８−１１０２８８号公報
【特許文献３】実用新案登録第３０２１１１９号公報
【特許文献４】特開平９−７４９６９号公報
【特許文献５】米国特許第６１８２９０４号公報
【特許文献６】米国特許第６３３９８９７号公報
【発明の開示】
【発明が解決しようとする課題】
【０００４】
ここで、このような強制式あるいはオンデマンド式の薬剤放散装置は、一般に、圃場施設などにおいて所定間隔で設置した支柱の所定高さ位置の所に取り付けて使用される。例えば、茶園、果樹園などでは防霜ファンが取り付けられている既設の支柱などに取り付けて使用することができる。しかしながら、茶園、果樹園などに支柱が設置されていると、刈取や収穫作業などにおいて支柱が作業の邪魔になるので好ましくない。また、かかる弊害を回避するために、地下埋設型霜ファンと同様な機構のものを採用することが考えられる。地下埋設型防霜ファンは、昇降式の支柱の先端に防霜ファンが取り付けられており、必要な時にのみ、支柱を地上に伸ばして防霜ファンを駆動するように構成されている。
【０００５】
しかしながら、薬剤放散装置を、地下埋設型防霜ファンのような昇降式の構造とした場合には、設備が大掛かりとなり、コストも高くなってしまう。また、昇降式の支柱の上昇量が制限されるので、薬剤放散装置の設置高さにも制約があり、任意の高さ位置に設置することができない。
【０００６】
一方、強制式あるいはオンデマンド式の薬剤放散装置では、必要な時間帯に合わせて、薬剤を蒸発皿やメッシュ状素材の表面に滴下あるいは吐出し、薬剤を外部に放散させるようになっている。しかしながら、昆虫性フェロモンなどの薬剤の放散量は極めて微量でよく、しかも拡散性・展開性に乏しい。このため、蒸発皿やメッシュ状素材の表面に滴下あるいは吐出された微量の薬剤液滴は、それらの表面において、滴下あるいは吐出された状態のままで揮発して空気中に放散していく。このように点状のままで放散するので、放散効率が極めて悪いという問題点がある。
【０００７】
本発明の課題は、刈取や収穫作業の障害にならない状態で設置可能な薬剤放散装置を提案することにある。
【０００８】
また、本発明の課題は、これに加えて、薬剤を効率良く放散可能な薬剤放散装置を提案することにある。
【課題を解決するための手段】
【０００９】
本発明の薬剤放散装置は、昆虫性フェロモンなどの薬剤を貯留した薬剤貯留部と、前記薬剤を外部に放散させるための薬剤放散部と、前記薬剤貯留部の前記薬剤を前記薬剤放散部に供給する伸縮式の薬剤供給部とを有していることを特徴としている。
【００１０】
したがって、例えば、薬剤放散装置を圃場施設の地下に埋設しておき、薬剤を放散する場合にのみ、伸縮式の薬剤放散部のみを地上に伸ばすことができる。よって、刈取作業や収穫作用などの障害になることがない。また、薬剤放散部のみを伸縮させればよいので、装置全体を昇降させる場合に比べて、装置を小型化することができ、また、廉価に製造することができる。さらに、薬剤放散部の高さ位置を任意に設定することが容易である。
【００１１】
ここで、前記薬剤放散部を、伸縮式の支柱と、この支柱に取り付けた長尺状の可撓性部材とを備えた構成とすることができる。この場合、前記薬剤供給部は前記可撓性部材に前記薬剤を供給すればよい。
【００１２】
また、この場合において、前記伸縮式の支柱を、支柱軸線方向にスライド可能に連結された少なくとも第１および第２支柱要素と、これら第１および第２支柱要素を支柱軸線方向に伸縮させるためのプーリ・ベルト式の伸縮機構とを備えた構成のものとすることができる。この構成を採用すれば、前記伸縮機構のベルトをそのまま前記可撓性部材として利用することができる。
【００１３】
さらに、可撓性部材に供給された薬剤を効率良く放散させるためには、前記薬剤供給部は、前記可撓性部材の表面に供給された前記薬剤を前記可撓性部材の表面に沿って当該可撓性部材の移動方向に拡展させる拡展部材を備えていることが望ましい。
【００１４】
前記拡展部材としては、前記可撓性部材の表面に対して所定の間隔で先端が対峙しているブレード、外周面が前記可撓性部材に接している薬剤含浸ローラ、あるいは表面が前記可撓性部材に接している薬剤含浸部材とすることができる。この場合、このような拡展部材を、前記可撓性部材の移動経路上における定まった位置に配置しておけばよい。
【００１５】
次に、本発明の薬剤放散装置は、前記薬剤貯留部、前記薬剤供給部および前記薬剤放散部が収納された装置筐体と、前記薬剤放散部を前記装置筐体内から外部に伸長させるために、当該装置筐体に形成した開口部と、前記開口部を開閉可能な状態で封鎖している開閉蓋とを有していることが望ましい。この構成によれば、薬剤放散時以外は、薬剤放散部が装置筐体内に収納され、その開口部が開閉蓋によって封鎖されている。したがって、散布された農薬などによって薬剤放散部などが汚染してしまうことを防止できる。
【発明の効果】
【００１６】
以上説明したように、本発明の薬剤放散装置は伸縮式の薬剤放散部を有しているので、茶園、果樹園などの施設の地下などのように刈取作業、収穫作業などの邪魔にならない場所に薬剤放散装置を設置でき、薬剤放散時のみ伸縮式の薬剤放散部を伸ばせばよい。また、薬剤放散部のみを伸縮させればよいので、装置全体を昇降させる場合に比べて、装置寸法を小さくでき、また、廉価に製造できる。さらには、薬剤放散部を任意の高さに移動することが容易になる。
【００１７】
次に、本発明において、伸縮式の薬剤放散部として伸縮式の支柱と、この支柱に取り付けた長尺状の可撓性部材とを備えている場合には、可撓性部材を薬剤放散用の部材としてそのまま用いることができる。
【００１８】
また、本発明において、薬剤供給部が、可撓性部材の表面に供給された薬剤を当該可撓性部材の表面に沿って当該可撓性部材の移動方向に拡展させる拡展部材を備えている場合には、可撓性部材に供給された薬剤を効率良く放散させることができる。
【００１９】
さらに、本発明において、薬剤貯留部、薬剤供給部および薬剤放散部が収納された装置筐体と、薬剤放散部を装置筐体内から外部に伸長させるために、当該装置筐体に形成した開口部と、開口部を開閉可能な状態で封鎖している開閉蓋とを有している場合には、薬剤放散時以外は、薬剤放散部が装置筐体内に収納され、その開口部が開閉蓋によって封鎖されている。したがって、散布された農薬などによって薬剤放散部などが汚染してしまうことを防止できる。
【発明を実施するための最良の形態】
【００２０】
以下に、図面を参照して、本発明を適用した薬剤放散装置の実施の形態を説明する。
【００２１】
図１は本発明を適応した昆虫性フェロモンを散布するための薬剤放散装置が設置された茶園の一例を示す説明図である。茶園１の各畝２の中心部分の地表面３に、本発明を適用した薬剤放散装置１０（１０（１）、１０（２）、１０（３）・・・）が設置されている。これらの薬剤放散装置は同一構成であり、理解を容易にするために、薬剤放散装置１０（１）、１０（２）では伸縮式の薬剤放散部１１が伸びた状態を、薬剤放散装置１０（３）では薬剤放散部１１が装置筐体１２に収納されている状態をそれぞれ示してある。
【００２２】
図２は薬剤放散装置１０の概略構成図であり、（ａ）には薬剤放散部１１が収納されている状態を示し、（ｂ）には薬剤放散部１１が伸長している状態を示してある。これらの図に示すように、薬剤放散装置１０は、装置筐体１２と、この内部に配置された薬剤タンク１３、薬剤供給部１４および伸縮式の薬剤放散部１１と、制御盤１５とを有している。装置筐体１２は、伸縮式の薬剤放散部１１を伸長させるための開口部１６と、開口部１６を開閉可能に封鎖している開閉蓋１７と、開閉蓋１７の開閉機構１８とを備えている。
【００２３】
薬剤タンク１３には昆虫性フェロモンが充填されており、薬剤供給部１４はポンプを備えており、その吐出口から昆虫性フェロモンが吐出され、吐出された昆虫性フェロモンの液滴が薬剤放散部１１に落下するようになっている。薬剤放散部１１は、伸縮式の支柱２１と、この支柱２１の先端に一端が固定された長尺状の可撓性部材２２とを備えている。図２（ａ）に示すように、可撓性部材２２は、伸縮式の薬剤放散部１１が装置筐体１２に収納されている状態においては、薬剤供給部１４の真下に位置している。よって、薬剤供給部１４から滴下された昆虫性フェロモンが可撓性部材２２に供給される。図２（ｂ）に示すように、伸縮式の支柱２１を伸長させると、昆虫性フェロモンが供給された可撓性部材２２も支柱２１と共に伸びて、伸長状態になる。この状態において、可撓性部材２２に付着している昆虫性フェロモンが大気中に蒸発あるいは拡散する。
【００２４】
制御盤１５は、伸縮式の薬剤放散部１１を伸縮させる伸縮機構２３、薬剤供給部１４のポンプおよび開閉機構１８を、予め定められたシーケンスで制御する。例えば、毎日、定められた時刻になると、開閉蓋１７を開き、薬剤供給部１４のポンプを駆動して所定量の昆虫性フェロモンを薬剤放散部１１の可撓性部材２１に供給し、しかる後に、伸縮式の薬剤放散部１１を開口部１６から外部に伸長させる。伸長状態を所定時間だけ保持して昆虫性フェロモンを茶園に放散した後は、薬剤放散部１１を装置筐体１２に収納し、しかる後に、開閉蓋１７を閉じる。
【００２５】
従って、昆虫性フェロモンの放散時にのみ薬剤放散部１１が装置筐体１２の開口部１６から上方に伸び、それ以外の時間帯では薬剤放散部１１は装置筐体１２に収納される。よって、支柱を立て、その上に薬剤放散装置を設置する場合のように、支柱などが農作業の邪魔になるという弊害が発生しない。
【００２６】
また、埋設型防霜ファンのように装置全体を昇降させる場合とは異なり、薬剤放散部１１のみを伸縮させているので、伸縮機構２３を小型で廉価に構成できるので、装置全体も小型で廉価になる。さらには、薬剤放散部１１の収納時には、開閉蓋１７によって装置筐体１２の開口部１６が封鎖されているので、農薬や粉塵などによって薬剤放散部１１が汚染されることもないという利点がある。
【００２７】
（伸縮式の薬剤放散部の例）
図３（ａ）および（ｂ）は伸縮式の薬剤放散部１１の一例を示す概略側面図および概略平面図である。この図に示す薬剤放散部１１Ａは、伸縮式の支柱２１Ａと、可撓性部材２２Ａと、支柱２１Ａの伸縮機構２３Ａとを備えている。支柱２１Ａは３本の支柱要素３１、３２、３３を備えている。支柱要素３１〜３３はそれぞれＳ字状断面をしており、支柱要素３１に支柱要素３２がそれらの軸線方向にスライド自在の状態で係合しており、支柱要素３２に支柱要素３３が軸線方向にスライド自在の状態で係合している。支柱要素３３の下端３３ａは固定端とされている。
【００２８】
伸縮機構２３Ａはベルト・プーリ機構から構成されている。支柱要素３１の下端側面部分には第１プーリ３４が取り付けられ、支柱要素３２の上下端の側面部分には第２および第３プーリ３５、３６が取り付けられ、支柱要素３３の上端側面部分には第４プーリ３７が取り付けられている。また、支柱要素３３の下側には巻取りドラム３８が配置されており、巻取りドラム３８の側方位置には、薬剤供給部１４の拡展部材として機能する薬剤含浸ローラ３９が配置されている。薬剤含浸ローラ３９の真上には薬剤供給部１４の薬剤供給口１４ａが位置しており、ここから吐出された昆虫性フェロモンが薬剤含浸ローラ３９の外周面上に滴下する。薬剤含浸ローラ３９の外周面は昆虫性フェロモンを保持可能な多孔質素材から形成されている。
【００２９】
薬剤放散部１１Ａの可撓性部材２２Ａは、糸状あるいはベルト状をしており、その一端２２ａが支柱要素３１の上端側側面部分に固定され、ここから、第１プーリ３４の下側、第２プーリ３５の上側、第３プーリ３６の下側および第４プーリ３７の上側を経由するようにこれらのプーリ３４〜３７に掛け渡されている。さらに、巻取りドラム３８の下側および薬剤含浸ローラ３９の下側を経由するようにこれらに架け渡されている。このように架け渡した可撓性部材２２Ａの他端２２ｂはテンションばね４０を介して、支柱要素３１の上端側面部分に固定されている。
【００３０】
この構成の薬剤放散部１１Ａにおいて、巻取りドラム３８を矢印の方向に回転して可撓性部材２２Ａを下方に引っ張ると、図３（ｃ）に示すように、可撓性部材２２Ａの移動量に相当する量だけ支柱２１Ａが伸長する。また、可撓性部材２２Ａにおける薬剤含浸ローラ３９を経由して上方に移動する部分には図において点線で示すように、昆虫性フェロモン４１が付着する。支柱２２Ａを最大に伸ばした状態では、可撓性部材２２Ａにおける昆虫性フェロモン４１が付着した部分が上方に伸びた状態になる。よって、この部分から大気中に昆虫性フェロモンが蒸発あるいは放散する。巻取りドラム３８を逆方向に回転すると、伸縮式の支柱２１Ａが再び図３（ａ）に示す収納状態に縮まる。
【００３１】
ここで、本例の伸縮式の薬剤放散部１１Ａでは、その長尺状の可撓性部材２２Ａにおける昆虫性フェロモン４１が付着する部分、換言すると、薬剤含浸ローラ３９を経由して移動する可撓性部材２２Ａの長さが、その全長の半分程度であり、各プーリ３４〜３７に掛け渡されている部分には昆虫性フェロモンが塗布されない。可撓性部材２２Ａの全長に亘って昆虫性フェロモンを塗布できれば、その放散効率を高めることができる。
【００３２】
図４には可撓性部材２２Ａを、その全長に亘って薬剤含浸ローラ３９を経由して移動可能にした構成例を示す説明図である。図示の薬剤放散部１１Ｂの基本構成は上記の薬剤放散部１１Ａと同一であるので、対応する部位には同一の符号を付し、それらの説明を省略する。薬剤放散部１１Ｂでは、可撓性部材２２Ａをループ状としてある。また、支柱要素３１の上端に所定寸法のリング４２を取り付け、ここに可撓性部材２２Ａを通してある。さらに、可撓性部材２２Ａにはリング４２を通過できない大きさあるいは形状のストッパ４３を固定してある。ここで、図４（ａ）に示すように、可撓性部材２２Ａが最も縮んだ状態において、ストッパ４３がリング４２の右側に当った状態となるように、ストッパ４３の取付位置を定めておく。
【００３３】
図４（ａ）に示す状態において、巻取りドラム３８を矢印の方向に回転すると、可撓性部材２２Ａはその無限軌道に沿って、そのストッパ４３がリング４２の反対側に当るまで、すなわち、無限軌道を一巡するまで移動する。この移動によって、可撓性部材２２Ａは図４（ａ）における部分２２ｃを除き、薬剤含浸ローラ３９を経由して移動して表面に昆虫性フェロモンが付着する。
【００３４】
この後は、同一方向に巻取りドラム３８を回転すると、ストッパ４３がリング４２に当っているので、可撓性部材２２の一端が支柱要素３１に固定された状態になる。よって、可撓性部材２２の移動に伴って、伸縮式の支柱２１Ａが伸び、図４（ｃ）のように完全に伸長した状態になる。この状態においては、伸長した可撓性部材２２Ａのほぼ全長に亘って昆虫性フェロモンが付着しているので、極めて効率良く、昆虫性フェロモンを大気中に蒸発あるいは拡散させることができる。
【００３５】
（拡展部材の例）
ここで、昆虫性フェロモンは一般に蒸気圧が低く蒸発しにくい。また、水に比べて４〜５倍の粘度があるので、金属、プラスチックフィルムなどの素材との濡れ性が悪いので、その表面に沿って自然拡展しにくい。そこで、図３、４に示す例では、薬剤供給部１４は、昆虫性フェロモンを薬剤放散部１１Ａの可撓性部材２２Ａに供給するだけでなく、昆虫性フェロモンをその表面に沿って強制的に拡展させる拡展部材としての薬剤含浸ローラ３９を備えている。
【００３６】
拡展部材としては、図５（ａ）に示すように、硬質素材からなるブレード５１を用いることができる。長尺状の可撓性部材２２Ａの両面２２ｄ、２２ｅに対して、僅かの隙間で先端が対峙した状態に一対のブレード５１を定まった位置に配置する。これらのブレード５１を上方に開いたハの字状に配置し、それらの上側から昆虫性フェロモンの液滴５２を垂らす。移動する可撓性部材２２Ａの両面には、滴下された昆虫性フェロモンの液滴５２がその表面に沿って長手方向に拡展されながら塗布される。
【００３７】
一対のブレード５１の代わりに、図５（ｂ）に示すように、拡展部材として断面がロート状の部材５３を用いることもできる。さらには、図５（ｃ）に示すように、昆虫性フェロモンを含浸させたフェルトなどの多孔質部材５５を拡展部材として用いることもできる。この場合には、図３、４に示す薬剤含浸ローラ３９と同様に、多孔質部材５５に接触させながら可撓性部材２２Ａを移動させることにより、その表面に昆虫性フェロモンを拡展させながら塗布することができる。
【００３８】
このように、薬剤塗布ローラ３９、ブレード５１、部材５３、多孔質部材５５などの拡展部材を用いることにより、蒸発しにくく、自然拡展しにくい昆虫性フェロモンを可撓性部材の表面に沿ってその長手方向に強制的に拡展させることができる。よって、昆虫性フェロモンの蒸発および拡散を極めて効率良く行うことができる。
【００３９】
また、図6（ａ）に示すように、図5（ａ）で例示したブレード５１の先端に段差５６を設けたブレード５１Ａを用いると、図６（ｂ）に示すように、可撓性部材２２の表面に昆虫性フェロモン４１を均一の厚さで塗布できる。また、図７（ａ）に示すように可撓性部材２２Ｂの表面に段差５７を設けて、図５（ａ）で例示したブレード５１で昆虫性フェロモン４１を塗布すると、図７（ｂ）に示すように、段差５７内に均一厚さの昆虫性フェロモン４１が塗布できる。さらに、図８（ａ）に示すようなシボまたは粗めのめっきなどの表面処理５８を施した可撓性部材２２Ｃを用いると、図８（ｂ）に示すように、シボ５８の谷間に昆虫性フェロモン４１が塗布できる。
【００４０】
（薬剤供給の例）
図２（ａ）ではポンプ１４による薬剤供給の例を示したが、図９に別な例を示す。１３は薬剤タンク、５９は薬剤タンク１３に直結し可撓性部材２２Ｄに接触している多孔性部材である。可撓性部材２２Ｄを巻取りローラ３８Ａにより移動させると、多孔性部材５９から可撓性部材２２Ｄに昆虫性フェロモン４１が塗布でき、図２（ａ）に示したポンプが必要ない。また。可撓性部材２２Ｄの移動量で塗布量の調整もできる。
【００４１】
図１０は別の薬剤供給の例であり、転写ローラ６０及び６１により、薬剤タンク１３の中の薬剤を空気に接触させることなく、可撓性部材２２Ｅ上に昆虫性フェロモン４１が塗布できる。この場合、図１１に示すように可撓性部材２２Ｅに接触する転写ローラ６１Ａに段差６２を設けると、図６で例示したブレード５１Ａの段差５６と同様の効果で可撓性部材２２Ｅの表面に昆虫性フェロモン４１を均一の厚さで塗布できる。
【図面の簡単な説明】
【００４２】
【図１】本発明を適用した薬剤放散装置が設置された茶園の例を示す説明図である。
【図２】図１の薬剤放散装置の概略構成図および伸縮式の薬剤放散部が伸長した状態を示す説明図である。
【図３】伸縮式の薬剤放散部の一例を示す概略側面図、概略平面図および、伸長した状態を示す概略側面図である。
【図４】図３の薬剤放散部の変形例を示す説明図である。
【図５】薬剤放散部の拡展部材の例を示す説明図である。
【図６】図５（ａ）のブレードの例を示す説明図である。
【図７】可撓性部材の例を示す説明図である。
【図８】可撓性部材の例を示す説明図である。
【図９】薬剤供給の例を示す説明図である。
【図１０】薬剤供給の例を示す説明図である。
【図１１】図１０の転写ローラの例を示す説明図である。
【符号の説明】
【００４３】
１  茶園、２  畝、３  地面、１０、１０（１）〜１０（３）  薬剤放散装置、１１、１１Ａ  伸縮式の薬剤放散部、１２  装置筐体、１３  薬剤タンク、１４  薬剤供給部、１５  制御盤、１６  開口部、１７  開閉蓋、１８  開閉機構、２１、２１Ａ  支柱、２２、２２Ａ、２２Ｂ、２２Ｃ、２２Ｄ、２２Ｅ  可撓性部材、２３  伸縮機構、３１〜３３  支柱要素、３４〜３７  プーリ、３８  巻取りローラ、３９  薬剤含浸ローラ、４０  テンションばね、４１  昆虫性フェロモン、４２  リング、４３  ストッパ、５１、５１Ａ  ブレード、５３  部材、５５、５９  多孔質部材、５６、５７、６２  段差、５８  シボ、６０、６１、６１Ａ  転写ローラ
【図１】
2005151947.tif 000003
【図２】
2005151947.tif 000004
【図３】
2005151947.tif 000005
【図４】
2005151947.tif 000006
【図５】
2005151947.tif 000007
【図６】
2005151947.tif 000008
【図７】
2005151947.tif 000009
【図８】
2005151947.tif 000010
【図９】
2005151947.tif 000011
【図１０】
2005151947.tif 000012
【図１１】
2005151947.tif 000013